(57)【要約】【課題】投票券を適切な順序で発券し、投票券購入機会の喪失可能性を低減する投票券発券装置を提供する。【解決手段】投票券発券装置１００は、投票内容読取手段１により、投入口に一括投入された複数の投票カード７から投票内容を読み取る。取得したイメージデータ、投票内容は、投票内容記憶手段２により所定の記憶領域に記憶される。投票内容は、修正要否判定手段３により、投票カード７ごとに投票内容の修正の要否を判定される。修正を要するとされた投票カード７について投票内容修正手段４により投票内容が修正される。投票内容に対応する投票締切時間にもとづいて投票カード７ごとの投票券の発券処理順序が処理順序設定手段５により設定される。投票券発券手段６は、投票内容記憶手段２に記憶された投票内容にしたがい、処理順序設定手段５が設定した発券処理順序で投票券の発券をおこなう。【選択図】図１
2011053782.tif 000002
【特許請求の範囲】
【請求項１】
投入口に一括投入された複数の投票カードから投票内容を読み取る投票内容読取手段と、
前記投票内容を前記投票カードごとに記憶する投票内容記憶手段と、
記憶された前記投票内容にもとづいて投票券の発券をおこなう投票券発券手段と、
前記投票内容に対応する投票締切時間にもとづいて前記投票カードごとの前記投票券の発券処理順序を設定する処理順序設定手段と、
を備えることを特徴とする投票券発券装置。
【請求項２】
前記投票内容の修正をおこなう投票内容修正手段と、
前記投票カードごとに前記投票内容の修正の要否を判定する修正要否判定手段と、
を備え、
前記処理順序設定手段は、
前記投票内容の修正を不要と判定した複数の前記投票カードについて、前記投票内容に対応する投票締切時間にもとづいて前記投票カードごとの発券処理順序を設定することを特徴とする請求項１記載の投票券発券装置。
【請求項３】
前記投票内容の修正をおこなう投票内容修正手段と、
前記投票カードごとに前記投票内容の修正の要否を判定する修正要否判定手段と、
を備え、
前記処理順序設定手段は、
前記投票内容の修正を不要と判定した複数の前記投票カードおよび前記投票内容を修正された前記投票カードについて、前記投票内容に対応する投票締切時間にもとづいて前記投票カードごとの発券処理順序を設定することを特徴とする請求項１記載の投票券発券装置。
【請求項４】
前記投票内容の修正をおこなう投票内容修正手段と、
前記投票カードごとに前記投票内容の修正の要否を判定する修正要否判定手段と、
を備え、
前記処理順序設定手段は、
前記投票内容の修正を不要と判定した複数の前記投票カードについて、前記投票内容に対応する投票締切時間にもとづいて前記投票カードごとの発券処理順序を設定し、
前記投票カードについて前記投票内容が修正された場合は、前記投票内容の修正を不要と判定した複数の前記投票カードに前記投票内容が修正された前記投票カードを含めて前記投票カードごとの発券処理順序を再設定することを特徴とする請求項１記載の投票券発券装置。
【請求項５】
前記投票内容にもとづいて前記投票券を発券した前記投票カードを回収する投票カード回収手段と、
前記投票内容にもとづいて前記投票券を発券しない前記投票カードを返却する投票カード返却手段と、
一括投入された複数の前記投票カードを、前記投票カード回収手段による回収、または前記投票カード返却手段による返却をするまでの間、一括して一時保留する投票カード一時保留手段と、
を備えることを特徴とする請求項２記載の投票券発券装置。
【請求項６】
前記投票内容読取手段は、前記投入口に一括投入された複数の前記投票カードを搬送路に１枚ずつ繰り出して前記一時保留手段まで搬送する過程で、イメージセンサにより前記投票カードごとのイメージデータを取得することを特徴とする請求項５記載の投票券発券装置。
【請求項７】
前記投入口は、紙幣を投入する紙幣投入口を兼ね、
前記搬送路は、前記紙幣を搬送する紙幣搬送路を兼ねることを特徴とする請求項６記載の投票券発券装置。
【請求項８】
修正対象となる複数の前記投票カードの修正順序を、前記投票内容に対応する投票締切時間にもとづいて設定する修正順序設定手段を備えることを特徴とする請求項２記載の投票券発券装置。
【請求項９】
前記修正順序設定手段は、修正対象となる前記投票カードのうち投票締切時間を特定可能な投票カードについて所定の余裕時間がある場合は、修正対象となる前記投票カードのうち投票締切時間を特定不能な投票カードの修正を優先して修正順序を設定することを特徴とする請求項８記載の投票券発券装置。
【請求項１０】
投入口に一括投入された複数の投票カードから投票内容を読み取り、
前記投票内容を前記投票カードごとに記憶し、
前記投票内容に対応する投票締切時間にもとづいて前記投票カードごとの投票券の発券処理順序を設定し、
前記発券処理順序にしたがい前記投票券の発券をおこなうことを特徴とする投票券発券方法。
【発明の詳細な説明】
【技術分野】
【０００１】
本発明は、投票カードを受け入れて投票券を発券する投票券発券装置、および投票券発券方法に関する。
【背景技術】
【０００２】
競馬、競輪、競艇、オートレースなどの投票券の発売は、窓口での取り扱いのほかに、投票券発券装置での取り扱いがある。投票券発券装置での投票券の発売は、投票内容の入力操作時間の短縮を目的にして、あらかじめ投票内容をマークシート式で記載した投票カードの入力により受け付けることができる。
【０００３】
投票券発券装置は、一度に複数枚の投票カードを受け入れて投入金額の範囲で順次投票券の発券をおこなう。投票券発券装置は、投票カードに修正を要する項目があれば、その都度、客の修正操作を受け付けて投票内容を修正している（たとえば、特許文献１参照）。
【０００４】
また、投票券発券装置は、投票カードの投入口と紙幣の投入口を共通にするものがある（たとえば、特許文献２参照）。
【先行技術文献】
【特許文献】
【０００５】
【特許文献１】特開平７−３７００１号公報
【特許文献２】実用新案登録第３０８４５３３号公報
【発明の概要】
【発明が解決しようとする課題】
【０００６】
投票カードを一括して受け入れ可能とする投票券発券装置で、投入金額の不足がある場合に、投票券発券装置は、投票券の発券を停止して紙幣または硬貨の追加投入を促していた。また、投票カードの記入誤りがある場合にも、投票券発券装置は、投票券の発券を停止してタッチパネルからの修正入力を促していた。
【０００７】
こうした発券停止中にレースの投票が締め切られ、投票券購入者は、投票締切直前で投票機会を失うことがあった。また、レース主催者側にとっても売上機会の喪失となっていた。そして、紙幣または硬貨の追加投入を促された投票カード、あるいは修正対象とされた投票カードでの売上喪失となるだけでなく、これらの投票カードとともに投入された投票カードの売上を喪失することとなる場合があった。
【０００８】
たとえば、紙幣または硬貨の追加投入を待たなくても発券可能な投票カードが、金額不足のために発券できない投票カードとともにレースの投票が締め切られる場合がある。また、修正を要しない正常に記入された投票カードが、修正を要する投票カードとともにレースの投票が締め切られる場合がある。
【０００９】
そこで、投票券購入機会の喪失可能性を低減した投票券発券装置および投票券発券方法の提供を目的とする。
【課題を解決するための手段】
【００１０】
上記課題を解決するために、投票券発券装置は、投票内容読取手段と、投票内容記憶手段と、投票券発券手段と、処理順序設定手段とを備える。
投票内容読取手段は、投入口に一括投入された複数の投票カードから投票内容を読み取る。投票内容記憶手段は、投票内容を投票カードごとに記憶する。投票券発券手段は、記憶された投票内容にもとづいて投票券の発券をおこなう。処理順序設定手段は、投票内容に対応する投票締切時間にもとづいて投票カードごとの投票券の発券処理順序を設定する。
【００１１】
また、上記課題を解決するために、投入口に一括投入された複数の投票カードから投票内容を読み取り、投票内容を投票カードごとに記憶し、投票内容に対応する投票締切時間にもとづいて投票カードごとの投票券の発券処理順序を設定し、発券処理順序にしたがい投票券の発券をおこなう投票券発券方法が提供される。
【発明の効果】
【００１２】
上記の投票券発券装置および投票券発券方法によれば、投票券購入機会の喪失可能性を低減する。
【図面の簡単な説明】
【００１３】
【図１】第１の実施形態の投票券発券装置のブロック図である。
【図２】第２の実施形態のトータリゼータシステムを示す図である。
【図３】第２の実施形態の投票券発券装置のハードウェア構成例を示す図である。
【図４】第２の実施形態の投票カード読取ユニットの構成例を示す図である。
【図５】第２の実施形態の投票券発券装置のゼネラルフローチャートである。
【図６】第２の実施形態の投票券発券処理のフローチャートである。
【図７】第２の実施形態の投票カード読取処理のフローチャートである。
【図８】第２の実施形態のイメージデータ記憶領域を示す図である。
【図９】第２の実施形態の発券順序管理テーブルを示す図である。
【図１０】第２の実施形態の発券処理のフローチャートである。
【図１１】第２の実施形態の投票カード修正処理のフローチャートである。
【図１２】第２の実施形態の修正画面の一例を示す図である。
【図１３】第２の実施形態の発券確認画面の一例を示す図である。
【図１４】第２の実施形態の発券順序設定処理のフローチャートである。
【図１５】第３の実施形態の発券順序管理テーブルを示す図である。
【図１６】第３の実施形態の投票カード修正処理のフローチャートである。
【図１７】第３の実施形態の発券順序設定処理のフローチャートである。
【図１８】第４の実施形態の投票カード読取処理のフローチャートである。
【図１９】第４の実施形態の発券順序管理テーブルを示す図である。
【図２０】第４の実施形態の発券処理のフローチャートである。
【図２１】第５の実施形態の投票カード読取・紙幣還流ユニットの構成例を示す図である。
【図２２】第６の実施形態の修正順序設定処理のフローチャートである。
【発明を実施するための形態】
【００１４】
以下、実施形態を図面を参照して説明する。
図１は、第１の実施形態の投票券発券装置のブロック図である。
投票券発券装置１００は、競馬場などのレース場に設置され、投票カード７と現金を受け入れて、投票カード７に記載された投票内容にしたがい投票券を発券する。
【００１５】
投票券発券装置１００は、投票内容読取手段１と、投票内容記憶手段２と、修正要否判定手段３と、投票内容修正手段４と、処理順序設定手段５と、投票券発券手段６を備える。
【００１６】
投票内容読取手段１は、投入口に一括投入された複数（たとえば、最大２０枚）の投票カード７から投票内容を読み取る。投票カード７は、あらかじめ用意されたマーク箇所を投票者が選択的にマークする（たとえば、鉛筆で塗り潰す）ことで投票内容を記載することができる。投票内容読取手段１は、投入口に一括投入された複数の投票カード７を搬送路に１枚ずつ繰り出す。そして、投票内容読取手段１は、搬送路上にあるイメージセンサにより投票カード７ごとのイメージデータを取得する。そして、投票内容読取手段１は、取得したイメージデータについて、イメージ中の識別マークにより投票カード７の種別を、イメージ中のタイミングマークによりマークの有無を判定し、投票内容を取得する。なお、投票カード７は、マークシート式に限らず、記述式であってもよい。その場合、投票内容読取手段１は、イメージデータからの文字認識機能を備えればよい。なお、投票カード７の種別は、投票券の種別に対応し、たとえば、通常投票券、ボックス／ながし投票券、フォーメーション投票券などがあり、その識別は、単勝式投票券、複勝式投票券、連勝単式投票券、連勝複式投票券、３連勝単式投票券、３連勝複式投票券などがある。
【００１７】
投票内容記憶手段２は、投票内容読取手段１が取得したイメージデータ、投票内容を所定の記憶領域に記憶する。なお、投票内容記憶手段２は、投票内容読取手段１が取得したイメージデータ、投票内容のうち少なくとも一方を記憶するようにしてもよい。
【００１８】
修正要否判定手段３は、投票カードごとに投票内容の修正の要否を判定する。修正要否判定手段３は、投票内容について投票カード７単位で、正常な記載、修正を要する記載（たとえば、軽微な記載不備）、修正できない記載（たとえば、著しい記載不備）に分別する。そして、修正要否判定手段３は、正常な記載、または修正できない記載とされた投票カード７について修正対象としないと判定する。一方、修正要否判定手段３は、修正を要する記載とされた投票カード７について修正対象とすると判定する。
【００１９】
投票内容修正手段４は、修正を要する記載とされた投票カード７について投票者の修正指示を受けて投票内容の修正をおこなう。修正済みの投票カード７は、修正後の内容で正常な記載のされた投票カード７として扱うことができる。
【００２０】
処理順序設定手段５は、投票内容に対応する投票締切時間にもとづいて（たとえば、投票締切時間が近い順に）投票カード７ごとの投票券の発券処理順序を設定する。処理順序設定手段５は、正常な記載とされた投票カード７、および修正済みの投票カード７について投票券の発券処理順序を設定する。
【００２１】
投票券発券手段６は、投票内容記憶手段２に記憶された投票内容にしたがい、処理順序設定手段５が設定した発券処理順序で投票券の発券をおこなう。
このような投票券発券装置１００によれば、投票券は適切な順序で発券されるため、投票券購入機会の喪失可能性を低減する。
【００２２】
なお、投票券発券装置１００は、競馬に限らず、競艇、競輪、オートレース、あるいはその他のレースの投票券を発券するものであってもよい。また、投票券発券装置１００の設置場所は、レース場内（たとえば、競馬場）に限らず、場外（たとえば、場外馬券売り場）などであってもよい。
【００２３】
また、投票券発券装置１００は、投票券の発券をおこなうだけでなく、投票券の発券と投票券の払い戻しをおこなう自動発払機であってもよい。
次に、より具体的な第２の実施形態について説明する。投票券発券装置１００を構成要素とするトータリゼータシステムについて図２を用いて説明する。図２は、第２の実施形態のトータリゼータシステムを示す図である。
【００２４】
トータリゼータシステム１０は、投票券の発券、オッズの表示と集計、配当金の計算、投票券の払い戻しなどを管理するシステムである。トータリゼータシステム１０は、管理装置２０と、投票券発券装置１００と、ネットワーク３０と、図示しない有人窓口用投票券発券装置、オッズモニタ、その他の機器から構成される。
【００２５】
投票券発券装置１００は、表示窓１０１、投票券投出入口１０２、投票カード投出入口１０３、紙幣投出入口１０４、タッチパネル１０５、ディスプレイ１０６、硬貨払出口１０７、硬貨投入口１０８を備える。表示窓１０１は、投票券発券装置１００が投票券の発券受付中か、発券停止中かを表示する。投票券投出入口１０２は、発券する投票券の投出口であり、また払い戻しをする投票券の投入口である。なお、投票券の投出口と投票券の投入口を一体に設けたが、別体とすることもできる。投票カード投出入口１０３は、投票カード７の投入口であり、また返却する投票カードの投出口である。なお、投票カードの投出口と投票カードの投入口を一体に設けたが、別体とすることもできる。紙幣投出入口１０４は、紙幣の投入口であり、また返却または釣銭として紙幣を払い出す紙幣の投出口である。なお、紙幣の投出口と紙幣の投入口を一体に設けたが、別体とすることもできる。
【００２６】
ディスプレイ１０６は、客に操作案内、レース案内、投票カード７の投票内容などの情報を客に表示する情報表示装置である。ディスプレイ１０６は、たとえば、液晶ディスプレイである。ディスプレイ１０６は、タッチパネル１０５の下層に位置している。ディスプレイ１０６の表示する画像は、タッチパネル１０５を透過して、客から視認可能である。客は、ディスプレイ１０６によって表示された画像を見ながら、タッチパネル１０５に対するタッチ操作（たとえば、情報表示切替操作、投票券購入操作、投票内容修正操作など）をおこなうことができる。硬貨投入口１０８は、硬貨の投入口である。硬貨払出口１０７は、返却または釣銭として硬貨を払い出す払出口である。なお、硬貨投入口１０８と硬貨払出口１０７を別体に設けたが、一体とすることもできる。
【００２７】
管理装置２０は、投票券発券装置１００と通信をし、投票券発券装置１００がおこなう投票券の発券や投票券の払い戻しを管理する。また、管理装置２０は、オッズの表示と集計、配当金の計算などをおこなう。管理装置２０と投票券発券装置１００は、ネットワーク３０を介して通信をおこなう。
【００２８】
次に、第２の実施形態の投票券発券装置１００のハードウェア構成について図３を用いて説明する。図３は、第２の実施形態の投票券発券装置のハードウェア構成例を示す図である。
【００２９】
投票券発券装置１００は、投票券発券装置制御部１００ａ、ディスプレイ１０６、管理者用ディスプレイ１１６を備える。また、投票券発券装置１００は、タッチパネル１０５、管理者用タッチパネル１１７、投票カード読取ユニット１１８、紙幣還流ユニット１１９、硬貨還流ユニット１２０、投票券印刷ユニット１２１、払戻投票券読取ユニット１２２を備える。
【００３０】
投票券発券装置制御部１００ａは、ＣＰＵ（Central Processing Unit）１０９によって装置全体が制御されている。ＣＰＵ１０９には、バス１１５を介してＲＡＭ（Random Access Memory）１１０、ＨＤＤ（Hard Disk Drive）１１１、通信インタフェース１１２、グラフィック処理装置１１３、および入出力インタフェース１１４が接続されている。
【００３１】
ＲＡＭ１１０には、ＣＰＵ１０９に実行させるＯＳ（Operating System）のプログラムやアプリケーションプログラムの少なくとも一部が一時的に格納される。また、ＲＡＭ１１０には、ＣＰＵ１０９による処理に必要な各種データが格納される。ＨＤＤ１１１には、ＯＳやアプリケーションプログラムが格納される。
【００３２】
グラフィック処理装置１１３には、ディスプレイ１０６、管理者用ディスプレイ１１６が接続されている。グラフィック処理装置１１３は、ＣＰＵ１０９からの命令に従って、画像をディスプレイ１０６、管理者用ディスプレイ１１６の画面に表示させる。なお、管理者用ディスプレイ１１６は、投票券発券装置１００の裏面側に備えられる管理者向けの情報表示装置である。
【００３３】
入出力インタフェース１１４には、タッチパネル１０５、管理者用タッチパネル１１７、投票カード読取ユニット１１８、紙幣還流ユニット１１９、硬貨還流ユニット１２０、投票券印刷ユニット１２１、払戻投票券読取ユニット１２２が接続されている。また、入出力インタフェース１１４は、可搬型記録媒体１２３への情報の書込み、および可搬型記録媒体１２３への情報の読出しが可能な可搬型記録媒体インタフェースと接続可能になっている。入出力インタフェース１１４は、タッチパネル１０５、管理者用タッチパネル１１７、投票カード読取ユニット１１８、紙幣還流ユニット１１９、硬貨還流ユニット１２０、投票券印刷ユニット１２１、払戻投票券読取ユニット１２２、可搬型記録媒体インタフェースから送られてくる信号を、バス１１５を介してＣＰＵ１０９に送信する。なお、管理者用タッチパネル１１７は、投票券発券装置１００の裏面側に備えられる管理者向けの情報入力装置である。投票カード読取ユニット１１８は、投票カード７から投票内容を読み取るユニットである。投票カード読取ユニット１１８の詳細は、図４を用いて後述する。紙幣還流ユニット１１９は、紙幣の受け入れ、紙幣の真贋の鑑別、紙幣の収納、紙幣の返却、釣銭（紙幣）の払い出しをおこなう。硬貨還流ユニット１２０は、硬貨の受け入れ、硬貨の真贋の鑑別、硬貨の収納、硬貨の返却、釣銭（硬貨）の払い出しをおこなう。投票券印刷ユニット１２１は、投票券を印刷して発券する。払戻投票券読取ユニット１２２は、投票券を受け入れて投票内容を読み取る。
【００３４】
通信インタフェース１１２は、ネットワーク３０に接続されている。通信インタフェース１１２は、管理装置２０との間でデータの送受信をおこなう。
以上のようなハードウェア構成によって、本実施の形態の処理機能を実現することができる。なお、管理装置２０も同様のハードウェア構成で実現できる。
【００３５】
なお、投票券発券装置制御部１００ａは、それぞれＦＰＧＡ（Field Programmable Gate Array）やＤＳＰ（Digital Signal Processer）などからなるモジュールを含んで構成することもでき、ＣＰＵ１０９を有しない構成とすることもできる。その場合、投票券発券装置制御部１００ａは、それぞれ不揮発性メモリ（たとえば、ＥＥＰＲＯＭ（Electrically Erasable and Programmable Read Only Memory）、フラッシュメモリ、フラッシュメモリ型メモリカードなど）を備え、モジュールのファームウェアを記憶する。不揮発性メモリは、可搬型記録媒体１２３、あるいは通信インタフェース１１２を介してファームウェアを書き込むことができる。このように投票券発券装置制御部１００ａは、不揮発性メモリに記憶されているファームウェアを書き換えることにより、ファームウェアの更新をすることもできる。
【００３６】
次に、第２の実施形態の投票カード読取ユニット１１８の構成について図４を用いて説明する。図４は、第２の実施形態の投票カード読取ユニットの構成例を示す図である。
投票カード読取ユニット１１８は、受け入れた投票カード７から投票カード７のイメージデータを読み取るユニットである。投票カード読取ユニット１１８は、投票カード７ごとのイメージデータを出力する。投票カード読取ユニット１１８は、投票カード投出入口１０３、受入口部１２４、イメージ取得部１２５、搬送路１２６、投票カード一時保留部１２７、投票カード回収部１２８、取り忘れ取込部１２９、返却口部１３０、および図示しない投票カード読取ユニット制御部を備える。投票カード読取ユニット制御部は、入出力インタフェース１１４を介してＣＰＵ１０９からの指示にしたがい、投票カード読取ユニット１１８を制御する。
【００３７】
投票カード投出入口１０３は、複数の投票カード７の一括投入を受け付ける。一括投入された投票カード７は、受入口部１２４から１枚ずつ搬送路１２６に繰り出される。搬送路１２６は、受入口部１２４から繰り出された投票カード７をイメージ取得部１２５を通してから投票カード一時保留部１２７まで搬送する。イメージ取得部１２５は、搬送路１２６を搬送される投票カード７からイメージデータを取得する。イメージ取得部１２５は、たとえば、ＣＭＯＳ（Complementary Metal Oxide Semiconductor）イメージセンサ、あるいはＣＣＤ（Charge Coupled Device）イメージセンサによりイメージデータを取得する。投票カード読取ユニット１１８は、イメージ取得部１２５により１枚ずつイメージデータを取得した投票カード７を一旦、投票カード一時保留部１２７に収納する。投票カード読取ユニット１１８は、投票カード一時保留部１２７に収納した投票カード７のうち投入金額不足や修正できない記載不備のある投票カード７を返却口部１３０に１枚ずつ搬送する。また、投票カード読取ユニット１１８は、投票カード一時保留部１２７に収納した投票カード７のうち投票券を発券した投票カード７を投票カード回収部１２８に１枚ずつ搬送する。返却口部１３０は、１枚ずつ搬送されてきた投票カード７をまとめて、投票カード投出入口１０３に送り出して返却する。投票カード読取ユニット１１８は、返却した投票カード７を客が受け取らなかった場合、受け取らなかった投票カード７を取り込み、取り忘れ取込部１２９に搬送して回収する。
【００３８】
このように、投票カード読取ユニット１１８は、一括投入された投票カード７から１枚ずつイメージデータを取得して、投票カード一時保留部１２７に一括して退避するので、受入口部１２４から返却口部１３０までの搬送路１２６上で投票カード７を滞留させない。したがって、投票カード読取ユニット１１８は、投票カード７の追加受入時に、先に投入した投票カード７が滞留して受入を制限されるおそれが低減されている。
【００３９】
次に、第２の実施形態の投票券発券装置１００のゼネラルフローについて図５を用いて説明する。図５は、第２の実施形態の投票券発券装置のゼネラルフローチャートである。投票券発券装置１００は、電源オンにより起動する。
【００４０】
［ステップＳ１１］投票券発券装置１００は、管理装置２０から運用データを取得する。運用データは、投票券発券装置１００の起動を確認した管理装置２０により通知される（ステップＳ２１）。運用データは、投票券の発売情報を含む。投票券の発売情報は、たとえば、発売場（レースの開催場所）、発売レース、発売式別、予定投票締切時刻、発売状況などがある。運用データを取得した投票券発券装置１００は、投票券の発券を受付可能な状態であれば、表示窓１０１に投票券発券装置１００が投票券の発券受付中である旨を表示する。また、投票券発券装置１００は、投票券の発券を受付可能な状態であれば、硬貨還流ユニット１２０による投入硬貨の受け入れを開始する。硬貨還流ユニット１２０は、たとえば、硬貨投入口１０８のシャッタを開放することにより投入硬貨の受け入れを開始する。また、投票券発券装置１００は、投票券の発券を受付可能な状態であれば、紙幣還流ユニット１１９による投入紙幣の受け入れを開始する。紙幣還流ユニット１１９は、紙幣の投入検出により紙幣の搬送路１２６への繰り出しを開始する。
【００４１】
［ステップＳ１２］投票券発券装置１００は、管理装置２０から投票券の発売状況を取得する。投票券の発売状況は、管理装置２０により定期的に、またはイベント発生により通知される（ステップＳ２２）。投票券発券装置１００は、投票券の発売状況を更新する。投票券の発売状況は、発売中レース番号、発売締切レース番号、投票数、オッズなどがある。また、管理装置２０は、予定投票締切時刻や発走数などレース進行に関わる情報に変更がある場合は、レース進行に関わる情報を含めて通知する。
【００４２】
［ステップＳ１３］投票券発券装置１００は、投票券の発券を受付可能な状態であれば、投票券発券処理をおこなう。投票券発券処理の詳細は、図６を用いて後述する。なお、投票券発券装置１００は、投票券の発券に先立ち投票内容を管理装置２０に照会し、管理装置２０の許可を受けて投票券の発券をおこなう。管理装置２０は、投票券発券装置１００から投票内容を受け付けて、投票可能であれば投票許可をおこなう（ステップＳ２３）。
【００４３】
［ステップＳ１４］投票券発券装置１００は、投票券発券処理の運用を終了するか否かを管理装置２０から投票受付の終了の通知を受けているか否かにもとづいて判定する。投票券発券装置１００は、投票券発券処理の運用を終了するとした場合は、ステップＳ１５にすすむ。一方、投票券発券装置１００は、投票券発券処理の運用を継続するとした場合は、ステップＳ１２にすすむ。管理装置２０は、投票券の受け付けを終了する場合、投票券発券装置１００に投票受付の終了を通知する（ステップＳ２４）。
【００４４】
［ステップＳ１５］投票券発券装置１００は、投票券発券処理の運用を終了し、運用終了処理をおこなう。運用終了処理は、投票券の発売を終了する旨の案内表示を、表示窓１０１およびディスプレイ１０６によりおこなう。また、投票券発券装置１００は、硬貨還流ユニット１２０による投入硬貨の受け入れを停止する。硬貨還流ユニット１２０は、たとえば、硬貨投入口１０８のシャッタを閉じることにより投入硬貨の受け入れを停止する。また、投票券発券装置１００は、投票カード読取ユニット１１８による投票カード７の受け入れを停止する。たとえば、投票カード読取ユニット１１８は、投票カード７の搬送路１２６への繰り出しを停止する。また、投票券発券装置１００は、紙幣還流ユニット１１９による投入紙幣の受け入れを停止する。紙幣還流ユニット１１９は、紙幣の投入検出に関わらず紙幣の搬送路１２６への繰り出しを停止する。
【００４５】
次に、第２の実施形態の投票券発券装置１００の投票券発券処理について図６を用いて説明する。図６は、第２の実施形態の投票券発券処理のフローチャートである。
［ステップＳ３１］投票券発券装置１００は、紙幣投出入口１０４および硬貨投入口１０８への現金の投入をディスプレイ１０６により案内する。硬貨還流ユニット１２０は、投入硬貨について識別部により真贋を識別する。硬貨還流ユニット１２０は、真と識別した硬貨を受け入れ、真と識別できなかった硬貨を返却する。紙幣還流ユニット１１９は、投入紙幣について識別部により真贋を識別する。紙幣還流ユニット１１９は、真と識別した紙幣を受け入れ、真と識別できなかった紙幣を返却する。投票券発券装置制御部１００ａは、硬貨還流ユニット１２０および紙幣還流ユニット１１９から受け入れた投入金額の通知を受けて投入金額を管理する。
【００４６】
［ステップＳ３２］投票券発券装置１００は、投票券発券装置１００への現金の投入を受けて投票カード７の受け入れを可能にするとともに、投票カード投出入口１０３への投票カード７の投入をディスプレイ１０６により案内する。
【００４７】
［ステップＳ３３］投票券発券装置制御部１００ａは、投票カード読取ユニット１１８から投票カード７の投入検出の通知を受けて、投票券発券処理と並行して、投票カード読取処理を実行する。投票券発券装置制御部１００ａは、投票カード読取処理により投票カードごとの投票内容を取得する。投票カード読取処理の詳細は、図７を用いて後述する。
【００４８】
［ステップＳ３４］投票券発券装置制御部１００ａは、投票内容の取得を受けて、投票券発券処理と並行して、発券処理を実行する。投票券発券装置制御部１００ａは、発券処理により投票内容にしたがった投票券を発券する。したがって、投票券発券装置１００は、投票カード読取処理と発券処理とを並行して実行する。発券処理の詳細は、図１０を用いて後述する。
【００４９】
［ステップＳ３５］投票券発券装置制御部１００ａは、投票カード読取処理により取得した投票カード７ごとの投票内容について記載不備があるか否かを判定する。投票券発券装置制御部１００ａは、投票カード７ごとの投票内容について軽微な記載不備があれば、ステップＳ３７にすすむ。一方、投票券発券装置制御部１００ａは、投票カード７ごとの投票内容について記載不備がなければ、ステップＳ３８にすすむ。また、投票券発券装置制御部１００ａは、投票カード７ごとの投票内容について著しい記載不備があれば、記載不備の著しい投票カード７を返却（ステップＳ３６）し、ステップＳ３５にすすむ。
【００５０】
なお、記載不備の程度は、記載不備が１箇所であれば軽微とし、記載不備が２箇所以上あれば著しい記載不備としているが、内容による重み付けをしてあらかじめ定めた閾値により記載不備の程度を評価してもよい。
【００５１】
［ステップＳ３７］投票券発券装置制御部１００ａは、軽微な記載不備のある投票カード７について、投票内容の修正を受け付けて投票内容を修正する投票カード修正処理をおこなう。投票カード修正処理の詳細は、図１１を用いて後述する。
【００５２】
［ステップＳ３８］投票券発券装置制御部１００ａは、並行して実行する投票カード読取処理と発券処理により、管理する投入金額に不足が生じているか否かを判定する。投票券発券装置制御部１００ａは、管理する投入金額に不足が生じていると判定した場合は、ステップＳ３９にすすむ。一方、投票券発券装置制御部１００ａは、管理する投入金額に不足が生じていないと判定した場合は、ステップＳ４０にすすむ。
【００５３】
［ステップＳ３９］投票券発券装置制御部１００ａは、紙幣投出入口１０４および硬貨投入口１０８への現金の投入をディスプレイ１０６により案内して、現金の追加投入を受け付ける。
【００５４】
［ステップＳ４０］投票券発券装置制御部１００ａは、投入されたすべての投票カード７について発券が終了したか否かを判定する。投票券発券装置制御部１００ａは、投入されたすべての投票カード７について発券が終了したと判定した場合は、ステップＳ４１にすすむ。一方、投票券発券装置制御部１００ａは、投入されたすべての投票カード７についての発券の一部が終了していないと判定した場合は、ステップＳ３５にすすむ。投票券発券終了の判定は、たとえば、受け付けた投票カード７にもとづく投票券の発券が終了した状態で、投入金額が０、または釣銭返却の操作を受け付けた場合に投票券発券終了と判定できる。また、投票券発券終了の判定は、発券終了の確認操作を受け付けた場合に投票券発券終了と判定することもできる。
【００５５】
［ステップＳ４１］投票券発券装置制御部１００ａは、投票カード一時保留部１２７に保留している投票カード７のうち投票券を発券したものについて移動搬送して投票カード回収部１２８に回収する。また、投票券発券装置制御部１００ａは、投票カード一時保留部１２７に保留している投票カード７のうちステップＳ３６で返却するとした投票カード７について移動搬送して返却口部１３０から返却する。なお、返却した投票カード７が返却口部１３０に放置された場合は、所定時間の放置判定時間を経過した後、取り忘れ取込部１２９に回収する。
【００５６】
また、投票券発券装置制御部１００ａは、釣銭がある場合は、紙幣還流ユニット１１９、および硬貨還流ユニット１２０に釣銭の払い出しを指示する。そして、投票券発券装置制御部１００ａは、釣銭の抜き取りを確認して投票券発券処理を終了する。
【００５７】
次に、第２の実施形態の投票券発券装置１００が実行する投票カード読取処理について図７を用いて説明する。図７は、第２の実施形態の投票カード読取処理のフローチャートである。投票カード読取処理は、投票券発券装置制御部１００ａが投票カード読取ユニット１１８から投票カード７の投入検出の通知を受けて実行する。
【００５８】
［ステップＳ５１］投票券発券装置制御部１００ａは、投票カード読取ユニット１１８から投票カード７の投入検出の通知を受けて、投票カード読取ユニット１１８に、受入口部１２４から搬送路１２６への投票カード７の繰り出しを指示する。投票カード読取ユニット１１８は、投票券発券装置制御部１００ａから投票カード７の繰り出しの指示を受けて、投票カード７を１枚だけ搬送路１２６に繰り出してイメージ取得部１２５に向けて搬送する。
【００５９】
なお、投票カード読取ユニット１１８は、搬送路１２６を搬送される投票カード７からイメージデータを読み出して、投票券発券装置制御部１００ａに通知する。そして、投票カード読取ユニット１１８は、イメージデータを読み出した投票カード７を投票カード一時保留部１２７に収納する。
【００６０】
［ステップＳ５２］投票券発券装置制御部１００ａは、投票カード読取ユニット１１８から投票カード読取ユニット１１８が読み出した投票カード７のイメージデータを取得する。
【００６１】
取得したイメージデータは、図８に示すように、イメージデータ記憶領域２００に取得イメージデータ２０１（イメージデータ＃１、イメージデータ＃２、・・・）として記憶される。図８は、第２の実施形態のイメージデータ記憶領域を示す図である。イメージデータ記憶領域２００は、たとえば、ＲＡＭ１１０内の所定領域である。
【００６２】
［ステップＳ５３］投票券発券装置制御部１００ａは、取得した投票カード７のイメージデータから投票内容を取得する。具体的には、投票券発券装置制御部１００ａは、イメージデータ中の識別コード（たとえば、タイミングマークの一番目に予め印刷された該当種別カード固有のマーク、あるいはバーコード）から投票カード７の種別を識別する。そして、投票券発券装置制御部１００ａは、タイミングマークの位置でマークの有無を認識し、投票カード７の種別とマークの有無を併せて投票内容を解釈する。このようにして、投票券発券装置制御部１００ａは、場名、式別、レース番号、投票金額などの具体的な投票内容を取得する。また、投票券発券装置制御部１００ａは、投票内容の解釈において、投票カード７の記載不備の修正の要否を判定する。
【００６３】
そして、投票券発券装置制御部１００ａは、図９に示すように、「イメージデータ」と「発券データ（投票内容）」、「修正要否」、「発券」とを対応付けた発券順序管理テーブル２０２を生成する。図９は、第２の実施形態の発券順序管理テーブルを示す図である。発券順序管理テーブル２０２は、「発券順序」、「イメージデータ」、「発券データ」、「修正要否」、「発券」の項目を有し、投票カード７のデータをまとめたテーブルである。「発券順序」は、複数の投票カード７間の発券順序である。複数の投票カード７間の発券順序は、図１４を用いて後で説明する発券順序設定処理で設定される。「イメージデータ」は、投票カード７に対応するイメージデータを記憶するイメージデータ記憶領域２００の参照先を示す情報である。「発券データ」は、イメージデータから取得した投票内容である。「修正要否」は、投票カード７の記載不備の修正の要否を示す情報である。修正の要否を示す情報には、たとえば、修正を要する「要」、修正を要しない「不要」、修正できない（著しい記載不備）「返却」がある。「発券」は、発券が終了したか否かを示す情報であり、たとえば、発券が終了していないことを示す「未」、発券が終了したことを示す「済」がある。
【００６４】
なお、ステップＳ５３において、たとえば、投票券発券装置制御部１００ａは、「イメージデータ＃１」を有する投票カード７について、「イメージデータ」として「イメージデータ＃１」を設定する。そして、投票券発券装置制御部１００ａは、「イメージデータ＃１」について、「発券データ」として「発券データ＃１」、「修正要否」として「不要」、「発券」として「未」を設定する。
【００６５】
［ステップＳ５４］投票券発券装置制御部１００ａは、複数の投票カード７間の発券順序を設定する発券順序設定処理を実行する。発券順序設定処理の詳細は、図１４を用いて後で説明する。
【００６６】
［ステップＳ５５］投票券発券装置制御部１００ａは、発券順序設定処理で設定した発券順序で、発券順序管理テーブル２０２を更新する。これにより、発券順序管理テーブル２０２の「イメージデータ」と「発券順序」とが対応付けされる。
【００６７】
［ステップＳ５６］投票券発券装置制御部１００ａは、すべての投票カード７について投票内容を取得したか否かを判定する。投票券発券装置制御部１００ａは、すべての投票カード７について投票内容を取得したと判定した場合は、投票カード読取処理を終了する。一方、投票券発券装置制御部１００ａは、すべての投票カード７について投票内容の取得を完了していない（投票内容の取得ができていない投票カード７が残っている）と判定した場合は、ステップＳ５１にすすむ。すべての投票カード７について投票内容を取得したか否かは、たとえば、投票カード読取ユニット１１８から通知される投票カード７の投入検出にもとづいて判定することができる。
【００６８】
なお、ステップＳ５４で実行する発券順序設定処理と、ステップＳ５５で実行する発券順序管理テーブルの更新は、１枚の投票カード７のイメージを取得するごとではなく、すべての投票カード７のイメージを取得した後としてもよい。
【００６９】
次に、第２の実施形態の投票券発券装置１００が実行する発券処理について図１０を用いて説明する。図１０は、第２の実施形態の発券処理のフローチャートである。発券処理は、投票内容の取得を受けて投票券発券装置制御部１００ａにより実行される。より具体的には、発券処理は、発券順序管理テーブル２０２に発券順序が設定されることで投票券発券装置制御部１００ａにより実行される。
【００７０】
［ステップＳ６１］投票券発券装置１００の投票券発券装置制御部１００ａは、発券順序管理テーブル２０２を参照し、「修正要否」が「不要」で、「発券」が「未」の発券データのうち「発券順序」が最も小さい発券データを取得する。たとえば、発券順序管理テーブル２０２に示した例では、「発券データ＃１」が取得対象となる。
【００７１】
［ステップＳ６２］投票券発券装置制御部１００ａは、取得した発券データにもとづく発券要求を管理装置２０におこなう。
［ステップＳ６３］管理装置２０は、投票券発券装置制御部１００ａからの発券要求を受け付ける。
【００７２】
［ステップＳ６４］管理装置２０は、発券要求について投票締切時間内の要求であるか、投票内容が正常であるかを判定する。管理装置２０は、発券要求について発券してよい場合は投票券発券装置１００に発券許可を通知する。一方、管理装置２０は、発券要求について発券してはいけない場合は投票券発券装置１００に発券不許可を通知する。
【００７３】
［ステップＳ６５］投票券発券装置制御部１００ａは、発券要求についての応答を管理装置２０から受け付ける。投票券発券装置制御部１００ａは、発券要求についての応答が許可であれば、ステップＳ６６にすすむ。一方、投票券発券装置制御部１００ａは、発券要求についての応答が不許可であれば、ステップＳ６７にすすむ。
【００７４】
［ステップＳ６６］投票券発券装置制御部１００ａは、許可された投票内容に相当する金額を管理する投入金額から精算する。そして、投票券発券装置制御部１００ａは、投票券印刷ユニット１２１に投票内容にしたがった投票券の印刷と投票券の投出を指示する。
【００７５】
［ステップＳ６７］投票券発券装置制御部１００ａは、不許可とされた投票内容について投票券の発券要求を取り消し、投票カード読取ユニット１１８に対応する投票カード７の返却を指示する。
【００７６】
［ステップＳ６８］投票券発券装置制御部１００ａは、ステップＳ６６で発券を指示した発券データについて、「発券」を「未」から「済」にして発券順序管理テーブル２０２を更新する。また、投票券発券装置制御部１００ａは、たとえば、ステップＳ６７で発券要求を取り消した発券データについて、「修正要否」を「不要」から「返却」にして発券順序管理テーブル２０２を更新する。なお、投票券発券装置制御部１００ａは、返却対象となった発券データについて発券順序管理テーブル２０２から削除するようにしてもよい。
【００７７】
［ステップＳ６９］投票券発券装置制御部１００ａは、すべての発券データについて、発券が終了したか否かを判定する。投票券発券装置制御部１００ａは、すべての発券データについて発券が終了したと判定した場合は、発券処理を終了する。一方、投票券発券装置制御部１００ａは、すべての発券データについて発券が終了していない（発券が終了していない発券データが残っている）と判定した場合は、ステップＳ６１にすすむ。発券データについて発券が終了したか否かの判定は、たとえば、発券順序管理テーブル２０２で、返却対象となっていない投票カード７に対応する発券データについて「発券」が「未」のものを参照することによりできる。投票券発券装置制御部１００ａは、返却対象となっていない投票カード７に対応する発券データについて「発券」が「未」のものがあれば、発券データについて発券が終了していないものがあると判定できる。
【００７８】
このように、投票券発券装置１００は、発券順序管理テーブル２０２を用いて発券データについて発券順序を設定、および変更をすることができる。なお、発券順序管理テーブル２０２の「発券順序」により発券順序を制御するようにしたが、「発券順序」によらず、イメージデータ記憶領域２００に記憶されている取得イメージデータ２０１の格納位置を並べ替えることで発券順序を制御することもできる。
【００７９】
次に、第２の実施形態の投票券発券装置１００が実行する投票カード修正処理について図１１から図１３を用いて説明する。図１１は、第２の実施形態の投票カード修正処理のフローチャートである。投票カード修正処理は、投票カード７に軽微な記載不備があったときに実行される。投票カード修正処理は、投票券発券装置制御部１００ａにより投票券発券処理の中で実行される。図１２は、第２の実施形態の修正画面の一例を示す図である。図１３は、第２の実施形態の発券確認画面の一例を示す図である。
【００８０】
［ステップＳ７１］投票券発券装置制御部１００ａは、ディスプレイ１０６に修正画面１４０を表示する。修正画面１４０は、投票カード７から取得した投票内容として、たとえば、投票券の式別、場名、レース番号、投票内訳（たとえば、枠番組み合わせ、投票金額、あるいは投票数）、合計金額などを表示内容に含む。また、修正画面１４０は、投入金額、投票券の払戻枚数、払戻金、発券枚数、残金などの発券処理、および払戻処理などその他の処理に伴う付帯情報を表示内容に含む。また、修正画面１４０には、投票内容のうち修正の必要な項目が明示（たとえば、場名の記載漏れについて「場名？」と表示）される。さらに、修正画面１４０には、修正案内（たとえば、「場名を選んでください。」）と併せて修正候補（たとえば、場名の選択候補について「東京」、「湯布院」、「阪神」と表示）が表示される。また、修正画面１４０には、対応する投票カード７の発券をキャンセルするための項目（たとえば、「精算」）が表示される。
【００８１】
［ステップＳ７２］投票券発券装置制御部１００ａは、タッチパネル１０５から修正指示を受け付ける。
［ステップＳ７３］投票券発券装置制御部１００ａは、受け付けた修正指示にもとづく発券確認画面１４１をディスプレイ１０６に表示する。発券確認画面１４１は、投票カード７から取得した投票内容として、たとえば、投票券の式別、場名、レース番号、投票内訳（たとえば、枠番組み合わせ、投票金額、あるいは投票数）、合計金額などを表示内容に含む。また、発券確認画面１４１は、投入金額、投票券の払戻枚数、払戻金、発券枚数、残金などの発券処理、および払戻処理などその他の処理に伴う付帯情報を表示内容に含む。また、発券確認画面１４１には、対応する投票カード７の発券にすすむ項目（たとえば、「発券」）、修正をやり直すための項目（たとえば、「やり直し」）、発券をキャンセルするための項目（たとえば、「精算」）が表示される。
【００８２】
［ステップＳ７４］投票券発券装置制御部１００ａは、タッチパネル１０５から確認指示（たとえば、「発券」、「やり直し」、「精算」）を受け付ける。投票券発券装置制御部１００ａは、受け付けた確認内容が、「発券」であればステップＳ７６にすすみ、「やり直し」であれば、ステップＳ７１にすすみ、「精算」であればステップＳ７５にすすむ。
【００８３】
［ステップＳ７５］投票券発券装置制御部１００ａは、修正されなかった投票内容について投票券の発券ができないとし、投票カード読取ユニット１１８に対応する投票カード７の返却を指示する。
【００８４】
［ステップＳ７６］投票券発券装置制御部１００ａは、ステップＳ７４で発券確認をした発券データについて、「修正要否」を「要」から「不要」にして発券順序管理テーブル２０２を更新する。また、投票券発券装置制御部１００ａは、ステップＳ７４で発券をキャンセルした発券データについて、「修正要否」を「要」から「返却」にして発券順序管理テーブル２０２を更新する。そして、投票券発券装置制御部１００ａは、投票カード修正処理を終了する。
【００８５】
次に、第２の実施形態の投票券発券装置１００が実行する発券順序設定処理について図１４を用いて説明する。図１４は、第２の実施形態の発券順序設定処理のフローチャートである。発券順序設定処理は、投票券発券装置制御部１００ａにより投票カード読取処理の中で実行される。
【００８６】
［ステップＳ８１］投票券発券装置制御部１００ａは、修正を要する発券データについて、投票締切時間を仮設定する。投票券発券装置制御部１００ａは、たとえば、最終レースの投票締切時間よりも遅い時間に投票締切時間を仮設定する。
【００８７】
［ステップＳ８２］投票券発券装置制御部１００ａは、仮設定された投票締切時間を含めた投票締切時間で、修正を要する発券データおよび修正を要しない発券データを投票締切時間順（投票締切時間が近い順）に整列する。
【００８８】
［ステップＳ８３］投票券発券装置制御部１００ａは、投票締切時間順に整列した発券データに発券順序を設定する。そして、投票券発券装置制御部１００ａは、発券順序設定処理を終了する。
【００８９】
これにより、投票券は、発券データに設定された発券順序で発券され得る。なお、投票券発券装置制御部１００ａは、修正を要する発券データについて、最終レースの投票締切時間よりも遅い時間に投票締切時間を仮設定したが、対象レースを特定可能な場合には、対応するレースの投票締切時間に投票締切時間を仮設定してもよい。また、投票券発券装置制御部１００ａは、修正を要する発券データについて、対象レースを特定できなくても推定可能な場合には、対応するレースの投票締切時間に投票締切時間を仮設定してもよい。たとえば、投票カード７のレース欄のマークが重複して対象レースを絞り込めない場合は、対応する複数のレースの投票締切時間から選択した一つのレースの投票締切時間を仮設定してもよい。より具体的には、仮設定する投票締切時間は、番号の小さいレース番号（締切時間が最も早いレース番号）に対応する投票締切時間とすることができる。
【００９０】
次に、第３の実施形態の投票券発券装置１００が実行する投票カード修正処理について図１５から図１７を用いて説明する。図１５は、第３の実施形態の発券順序管理テーブルを示す図である。発券順序管理テーブル２０３は、「発券順序」、「修正順序」、「イメージデータ」、「発券データ」、「修正要否」、「発券」の項目を有し、投票カード７のデータをまとめたテーブルである。発券順序管理テーブル２０３は、「修正順序」という項目を有する点で、第２の実施形態の発券順序管理テーブル２０２と異なる。「修正順序」は、投票内容の修正を要する複数の投票カード７間の修正順序である。投票内容の修正を要する複数の投票カード７間の修正順序は、図１７を用いて後で説明する発券順序設定処理で設定される。
【００９１】
第３の実施形態では、発券データに設定する発券順序とは、別に発券データを修正する修正順序を設定する。これにより、投票内容の確定しない発券データの修正を待つことなく、投票内容の確定した発券データについて発券処理をすすめることができる。
【００９２】
図１６は、第３の実施形態の投票カード修正処理のフローチャートである。第３の実施形態の投票カード修正処理のステップＳ９１からステップＳ９３は、図１１を用いて説明した第２の実施形態の投票カード修正処理のステップＳ７１からステップＳ７３と同様であるため説明を省略し、ステップＳ９４から説明する。
【００９３】
［ステップＳ９４］投票券発券装置制御部１００ａは、タッチパネル１０５から確認指示（たとえば、「発券」、「やり直し」、「精算」）を受け付ける。投票券発券装置制御部１００ａは、受け付けた確認内容が、「発券」であればステップＳ９５にすすみ、「やり直し」であれば、ステップＳ９１にすすみ、「精算」であればステップＳ９６にすすむ。
【００９４】
［ステップＳ９５］投票券発券装置制御部１００ａは、複数の投票カード７間の発券順序を設定する発券順序設定処理を実行する。第３の実施形態の発券順序設定処理の詳細は、図１７を用いて後で説明する。第３の実施形態では、投票カード読取処理の中で実行した発券順序設定処理を投票カード修正処理の中でもおこなう。これは、投票カード修正処理を実行して投票内容が確定した発券データを含めた発券順序を再設定するためである。特に、投入金額に不足が生じて投票券発券処理が完了していない場合に、発券順序の再設定は、投票券購入機会の喪失可能性の低減に有効である。
【００９５】
［ステップＳ９６］投票券発券装置制御部１００ａは、修正されなかった投票内容について投票券の発券ができないとし、投票カード読取ユニット１１８に対応する投票カード７の返却を指示する。
【００９６】
［ステップＳ９７］投票券発券装置制御部１００ａは、ステップＳ９４で発券確認をした発券データについて、「修正要否」を「要」から「不要」にするとともに、「発券順序」、「修正順序」を再設定して発券順序管理テーブル２０３を更新する。また、投票券発券装置制御部１００ａは、ステップＳ９４で発券をキャンセルした発券データについて、「修正要否」を「要」から「返却」にするとともに、「修正順序」を再設定して発券順序管理テーブル２０３を更新する。そして、投票券発券装置制御部１００ａは、投票カード修正処理を終了する。そして、投票券発券装置制御部１００ａは、投票カード修正処理を終了する。
【００９７】
図１７は、第３の実施形態の発券順序設定処理のフローチャートである。第３の実施形態の発券順序設定処理は、発券順序とは別に修正順序を設定する点で第２の実施形態の発券順序設定処理と異なる。さらに、第３の実施形態の発券順序設定処理は、投票券発券装置制御部１００ａにより、投票カード読取処理と投票カード修正処理の中で実行される。
【００９８】
［ステップＳ１０１］投票券発券装置制御部１００ａは、修正を要する発券データについて、投票締切時間を仮設定する。投票券発券装置制御部１００ａは、たとえば、対象レースを特定可能な場合には、対応するレースの投票締切時間に投票締切時間を仮設定する。また、投票券発券装置制御部１００ａは、修正を要する発券データについて、対象レースを特定できなくても推定可能な場合には、対応するレースの投票締切時間に投票締切時間を仮設定してもよい。たとえば、投票カード７のレース欄のマークが重複して対象レースを絞り込めない場合は、対応する複数のレースの投票締切時間から選択した一つのレースの投票締切時間を仮設定してもよい。より具体的には、仮設定する投票締切時間は、番号の小さいレース番号（締切時間が最も早いレース番号）に対応する投票締切時間とすることができる。
【００９９】
［ステップＳ１０２］投票券発券装置制御部１００ａは、修正の要否で発券データを整列する。
［ステップＳ１０３］投票券発券装置制御部１００ａは、修正を要する発券データを投票締切時間順に整列する。さらに、投票券発券装置制御部１００ａは、修正を要しない発券データを投票締切時間順に整列する。
【０１００】
［ステップＳ１０４］投票券発券装置制御部１００ａは、投票締切時間順に整列した修正を要しない発券データに発券順序を設定する。
［ステップＳ１０５］投票券発券装置制御部１００ａは、投票締切時間順に整列した修正を要する発券データに修正順序を設定する。そして、投票券発券装置制御部１００ａは、発券順序設定処理を終了する。
【０１０１】
これにより、投票券は、発券データに設定された修正順序で、たとえば投票締切時間の早いものから順に修正され得る。
次に、第４の実施形態の投票券発券装置１００が実行する投票カード読取処理について図１８、図１９を用いて説明する。図１８は、第４の実施形態の投票カード読取処理のフローチャートである。第４の実施形態は、投票カード読取処理の中で管理装置２０から投票券の発券許可を受ける点で、発券処理の中で管理装置２０から投票券の発券許可を受ける第２の実施形態と異なる。図１９は、第４の実施形態の発券順序管理テーブルを示す図である。発券順序管理テーブル２０４は、「発券順序」、「発券許可」、「イメージデータ」、「発券データ」、「修正要否」、「発券」の項目を有し、投票カード７のデータをまとめたテーブルである。発券順序管理テーブル２０３は、「発券許可」という項目を有する点で、第２の実施形態の発券順序管理テーブル２０２と異なる。「発券許可」は、管理装置２０からの投票券の発券許可、あるいは不許可の通知の記録である。図１９を用いて説明する第４の実施形態の発券処理は、投票券発券の都度、管理装置２０に許可を求めることなく、発券順序管理テーブル２０３の「発券許可」を参照して投票券を発券する。
【０１０２】
第４の実施形態の投票カード修正処理のステップＳ１１１からステップＳ１１４は、図７を用いて説明した第２の実施形態の投票カード読取処理のステップＳ５１からステップＳ５４と同様であるため説明を省略し、ステップＳ１１５から説明する。
【０１０３】
［ステップＳ１１５］投票券発券装置制御部１００ａは、発券順序管理テーブル２０４を参照し、「修正要否」が「不要」で、「発券」が「未」の発券データのうち「発券順序」が最も小さい発券データを取得する。そして、投票券発券装置制御部１００ａは、取得した発券データにもとづく発券要求を管理装置２０におこなう。
【０１０４】
［ステップＳ１１６］管理装置２０は、投票券発券装置制御部１００ａからの発券要求を受け付ける。
［ステップＳ１１７］管理装置２０は、発券要求について投票締切時間内の要求であるか、投票内容が正常であるかを判定する。管理装置２０は、発券要求について発券してよい場合は投票券発券装置１００に発券許可を通知する。一方、管理装置２０は、発券要求について発券してはいけない場合は投票券発券装置１００に発券不許可を通知する。
【０１０５】
［ステップＳ１１８］投票券発券装置制御部１００ａは、発券要求についての応答を管理装置２０から受け付ける。投票券発券装置制御部１００ａは、発券要求についての応答が許可であれば、ステップＳ１１９にすすむ。一方、投票券発券装置制御部１００ａは、発券要求についての応答が不許可であれば、ステップＳ１２０にすすむ。
【０１０６】
［ステップＳ１１９］投票券発券装置制御部１００ａは、許可された投票内容に相当する金額を管理する投入金額から精算する。
［ステップＳ１２０］投票券発券装置制御部１００ａは、不許可とされた投票内容について投票券の発券要求を取り消し、投票カード読取ユニット１１８に対応する投票カード７の返却を指示する。
【０１０７】
［ステップＳ１２１］投票券発券装置制御部１００ａは、ステップＳ１１９で発券を許可された発券データについて、「発券許可」を「不許可」から「許可」にして発券順序管理テーブル２０４を更新する。また、投票券発券装置制御部１００ａは、たとえば、ステップＳ１１５で発券を不許可とされた発券データについて、「修正要否」を「不要」から「返却」にして発券順序管理テーブル２０４を更新する。なお、投票券発券装置制御部１００ａは、返却対象となった発券データについて発券順序管理テーブル２０４から削除するようにしてもよい。
【０１０８】
［ステップＳ１２２］投票券発券装置制御部１００ａは、ここまでに認識した投票内容について、残高が十分か不足かを判定する。投票券発券装置制御部１００ａは、ここまでに認識した投票内容について、残高が十分と判定した場合は、ステップＳ１２３にすすむ。一方、投票券発券装置制御部１００ａは、ここまでに認識した投票内容について、残高が不足と判定した場合は、ステップＳ１２４にすすむ。
【０１０９】
［ステップＳ１２３］投票券発券装置制御部１００ａは、すべての投票カード７について投票内容を取得したか否かを判定する。投票券発券装置制御部１００ａは、すべての投票カード７について投票内容を取得したと判定した場合は、投票カード読取処理を終了する。一方、投票券発券装置制御部１００ａは、すべての投票カード７について投票内容を取得していない（投票内容を取得できていない投票カードが残っている）と判定した場合は、ステップＳ１１１にすすむ。
【０１１０】
［ステップＳ１２４］投票券発券装置制御部１００ａは、すべての投票カード７について投票内容を取得したか否かを判定する。投票券発券装置制御部１００ａは、すべての投票カード７について投票内容を取得したと判定した場合は、投票カード読取処理を終了する。一方、投票券発券装置制御部１００ａは、すべての投票カード７について投票内容を取得していないと判定した場合（一部の投票カード７について投票内容を取得していない判定した場合）は、ステップＳ１１１にすすむ。投票券発券装置制御部１００ａは、投票カード投出入口１０３にある未だ繰り出していない投票カード７を返却して、投票カード読取処理を終了する。
【０１１１】
次に、第４の実施形態の投票券発券装置１００が実行する発券処理について図２０を用いて説明する。図２０は、第４の実施形態の発券処理のフローチャートである。
［ステップＳ１３１］投票券発券装置制御部１００ａは、発券順序管理テーブル２０４を参照し、「発券許可」が「許可」で、「発券」が「未」の発券データのうち「発券順序」が最も小さい発券データを取得する。たとえば、発券順序管理テーブル２０４に示した例では、「発券データ＃１」が取得対象となる。
【０１１２】
［ステップＳ１３２］投票券発券装置制御部１００ａは、投票券印刷ユニット１２１に投票内容にしたがった投票券の印刷と投票券の投出を指示する。
［ステップＳ１３３］投票券発券装置制御部１００ａは、発券を指示した発券データについて、「発券」を「未」から「済」にして発券順序管理テーブル２０４を更新する。
【０１１３】
［ステップＳ１３４］投票券発券装置制御部１００ａは、すべての発券データについて、発券が終了したか否かを判定する。投票券発券装置制御部１００ａは、すべての発券データについて発券が終了したと判定した場合は、発券処理を終了する。一方、投票券発券装置制御部１００ａは、発券が終了していない発券データが残っていると判定した場合は、ステップＳ１３１にすすむ。
【０１１４】
次に、第５の実施形態の投票カード読取・紙幣還流ユニット１５０の構成について図２１を用いて説明する。図２１は、第５の実施形態の投票カード読取・紙幣還流ユニットの構成例を示す図である。
【０１１５】
投票カード読取・紙幣還流ユニット１５０は、受け入れた投票カード７から投票カード７のイメージデータを読み取るユニットである。また、投票カード読取・紙幣還流ユニット１５０は、受け入れた紙幣の回収や釣銭や払戻金の払い出しをおこなうユニットである。また、投票カード読取・紙幣還流ユニット１５０は、投票カード７ごとのイメージデータを出力する。また、投票カード読取・紙幣還流ユニット１５０は、投入された紙幣の入金データ、および払い出した釣銭や払戻金の出金データを出力する。
【０１１６】
投票カード読取・紙幣還流ユニット１５０は、受入口部１５１、イメージ取得部１５２、搬送路１５３、識別部１５４、返却口部１６６を備える。また、投票カード読取・紙幣還流ユニット１５０は、スタッカ部１５５、１５６、補充リジェクト部１５７、紙幣回収部１５８、紙幣補充部１５９、投票カード一時保留部１６０を備える。また、投票カード読取・紙幣還流ユニット１５０は、投票カード回収部１６１、出金リジェクト部１６２、単位回収部１６３、特定紙幣回収部１６４、取忘れ取込部１６５、および図示しない投票カード読取・紙幣還流ユニット制御部を備える。投票カード読取・紙幣還流ユニット制御部は、入出力インタフェース１１４を介してＣＰＵ１０９からの指示にしたがい、投票カード読取・紙幣還流ユニット１５０を制御する。
【０１１７】
受入口部１５１は、一括投入された紙幣、または投票カード７を１枚ずつ搬送路１５３に繰り出す。イメージ取得部１５２は、搬送路１５３を搬送される投票カード７からイメージデータを取得する。イメージ取得部１５２は、たとえば、ＣＭＯＳイメージセンサ、あるいはＣＣＤイメージセンサによりイメージデータを取得する。識別部１５４は、搬送路１５３を搬送される紙幣の真贋、および券種（たとえば、千円札、一万円札など）を識別する。搬送路１５３は、受入口部１５１から繰り出された投票カード７をイメージ取得部１５２を通してから投票カード一時保留部１６０まで搬送する。また、搬送路１５３は、受入口部１５１から繰り出された紙幣を識別部１５４を通してから、真正とされた紙幣について対応するスタッカ部１５５、スタッカ部１５６、あるいは特定紙幣回収部１６４に回収する。また、搬送路１５３は、受入口部１５１から繰り出された紙幣を識別部１５４を通してから、真正とされなかった紙幣について返却口部１６６に返却する。
【０１１８】
スタッカ部１５５は、紙幣の収納庫であり、たとえば、千円札を収納する。スタッカ部１５６は、紙幣の収納庫であり、たとえば、一万円札を収納する。紙幣補充部１５９は、補充紙幣の収納庫であり、紙幣補充部１５９に補充（たとえば、投票券発券装置１００の裏面側から）された紙幣は、搬送路１５３を通って識別部１５４で識別され、スタッカ部１５５、またはスタッカ部１５６に振り分けられる。ここで、識別部１５４により異金種（たとえば、二千円札、五千円札、汚れ紙幣）と識別された紙幣は、補充リジェクト部１５７に搬送される。紙幣回収部１５８は、スタッカ部１５５、またはスタッカ部１５６に収納されている紙幣を、スタッカ部１５５、またはスタッカ部１５６から転送して収納し、投票券発券装置１００からの紙幣回収を容易にする。出金リジェクト部１６２は、スタッカ部１５５、またはスタッカ部１５６から釣銭、または払戻金として返却（払い戻し）されるときに、識別部１５４で出金可能紙幣として識別できなかった紙幣を収納する。単位回収部１６３は、紙幣回収部１５８より容量の小さい収納庫であり、たとえば、５０枚、あるいは１００枚単位で紙幣を回収するための収納庫である。特定紙幣回収部１６４は、たとえば、二千円札や、五千円札などの釣銭や払戻金に使用しない紙幣を回収するための収納庫である。取忘れ取込部１６５は、返却口から一旦返却した紙幣について、客が所定時間内に抜き取らなかった場合に、回収する収納庫である。取忘れ取込部１６５は、返却口から一旦返却した投票カード７について、客が所定時間内に抜き取らなかった場合に、回収する収納庫でもある。
【０１１９】
これにより、投票カード読取・紙幣還流ユニット１５０は、紙幣還流ユニットとしての機能を有する。
また、投票カード読取・紙幣還流ユニット１５０は、複数の投票カード７の一括投入を受け付ける。一括投入された投票カード７は、受入口部１５１から１枚ずつ搬送路１５３に繰り出される。投票カード読取・紙幣還流ユニット１５０は、イメージ取得部１５２により１枚ずつイメージデータを取得した投票カード７を一旦、投票カード一時保留部１６０に収納する。投票カード読取・紙幣還流ユニット１５０は、投票カード一時保留部１６０に収納した投票カード７のうち投入金額不足や修正できない記載不備のある投票カード７を返却口部１６６に１枚ずつ搬送する。また、投票カード読取・紙幣還流ユニット１５０は、投票カード一時保留部１６０に収納した投票カード７のうち投票券を発券した投票カード７を投票カード回収部１６１に１枚ずつ搬送する。返却口部は１６６は、１枚ずつ搬送されてきた投票カード７をまとめて返却する。投票カード読取・紙幣還流ユニット１５０は、返却した投票カード７を客が受け取らなかった場合、受け取らなかった投票カード７を取り込み、取忘れ取込部１６５に搬送して回収する。
【０１２０】
このように、投票カード読取・紙幣還流ユニット１５０は、一括投入された投票カード７から１枚ずつイメージデータを取得して、投票カード一時保留部１６０に一括して退避するので、受入口部１５１から返却口部１６６までの搬送路１５３上で投票カード７を滞留させない。したがって、投票カード読取・紙幣還流ユニット１５０は、紙幣の追加受入時に、先に投入した投票カード７が滞留して紙幣の受入を制限されるおそれがない。
【０１２１】
これにより、投票カード読取・紙幣還流ユニット１５０は、投票カード読取ユニットとしての機能を有する。
なお、イメージ取得部１５２と識別部１５４を別体に構成したが、一体に構成してもよい。その場合、ＣＭＯＳイメージセンサ、あるいはＣＣＤイメージセンサに、投票カード７のイメージデータ取得と、紙幣の光学特性取得とに共用してもよい。
【０１２２】
このような、投票カード読取・紙幣還流ユニット１５０により、第２の実施形態、第３の実施形態、および第４の実施形態で説明した投票券の発券処理をおこなうこととしてもよい。
【０１２３】
次に、第６の実施形態の投票券発券装置１００が実行する修正順序設定処理について図２２を用いて説明する。図２２は、第６の実施形態の修正順序設定処理のフローチャートである。修正順序設定処理は、たとえば、投票カード修正処理でおこなう投票カード７の修正順序を設定するときに投票券発券装置制御部１００ａにより実行される。
【０１２４】
［ステップＳ１４１］投票券発券装置制御部１００ａは、投票カード７ごとに投票締切時間を特定する。投票締切時間を特定できた投票カード７については、投票締切時間特定可能投票カードとして、投票締切時間を特定できない投票カード７については、投票締切時間特定不能投票カードとして扱う。
【０１２５】
［ステップＳ１４２］投票券発券装置制御部１００ａは、現在時刻と直近のレースの投票締切時間とを比較して投票締切時間まで余裕があるか否かを判定する。余裕があるか否かの閾値は、あらかじめ定めた値（たとえば、１０分）とする。また、固定値としてもよいし、投票カード７の一括投入枚数に応じて可変値（たとえば、一括投入枚数が多いほど閾値を小さくする）としてもよい。
【０１２６】
投票券発券装置制御部１００ａは、投票締切時間まで余裕がないと判定した場合、ステップＳ１４３にすすむ。一方、投票券発券装置制御部１００ａは、投票締切時間まで余裕があると判定した場合、ステップＳ１４４にすすむ。
【０１２７】
［ステップＳ１４３］投票券発券装置制御部１００ａは、投票締切時間特定可能投票カードを投票締切時間特定不能投票カードに優先して修正順序を設定する。
［ステップＳ１４４］投票券発券装置制御部１００ａは、投票締切時間特定不能投票カードを投票締切時間特定可能投票カードに優先して修正順序を設定する。
【０１２８】
［ステップＳ１４５］投票券発券装置制御部１００ａは、決定した優先順序にしたがい投票カード７の修正順序を設定する。
これにより、投票締切時間が直近に迫っている投票カード７の修正を優先し、投票機会の喪失を低減することができる。また、投票締切時間に余裕があるときは、対象レースを特定できない投票カード７の修正を優先し、投票機会の喪失を低減することができる。
【０１２９】
なお、上記の処理機能は、コンピュータによって実現することができる。その場合、投票券発券装置１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ、ＣＤ−Ｒ（Recordable）／ＲＷ（ReWritable）などがある。光磁気記録媒体には、ＭＯ（Magneto-Optical disk）などがある。
【０１３０】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１３１】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送されるごとに、逐次、受け取ったプログラムにしたがった処理を実行することもできる。
【０１３２】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１３３】
１  投票内容読取手段
２  投票内容記憶手段
３  修正要否判定手段
４  投票内容修正手段
５  処理順序設定手段
６  投票券発券手段
７  投票カード
１０  トータリゼータシステム
２０  管理装置
３０  ネットワーク
１００  投票券発券装置
１０１  表示窓
１０２  投票券投出入口
１０３  投票カード投出入口
１０４  紙幣投出入口
１０５  タッチパネル
１０６  ディスプレイ
１０７  硬貨払出口
１０８  硬貨投入口
【図１】
2011053782.tif 000003
【図２】
2011053782.tif 000004
【図３】
2011053782.tif 000005
【図４】
2011053782.tif 000006
【図５】
2011053782.tif 000007
【図６】
2011053782.tif 000008
【図７】
2011053782.tif 000009
【図８】
2011053782.tif 000010
【図９】
2011053782.tif 000011
【図１０】
2011053782.tif 000012
【図１１】
2011053782.tif 000013
【図１２】
2011053782.tif 000014
【図１３】
2011053782.tif 000015
【図１４】
2011053782.tif 000016
【図１５】
2011053782.tif 000017
【図１６】
2011053782.tif 000018
【図１７】
2011053782.tif 000019
【図１８】
2011053782.tif 000020
【図１９】
2011053782.tif 000021
【図２０】
2011053782.tif 000022
【図２１】
2011053782.tif 000023
【図２２】
2011053782.tif 000024